(57)【特許請求の範囲】
【請求項１】
太陽歯車と、キャリヤに支持されたキャリヤピンによって支持され、該太陽歯車と外接する遊星歯車と、該遊星歯車が内接する内歯歯車と、を備えた単純遊星歯車機構の遊星歯車の支持構造において、
前記キャリヤピンが、該キャリヤピンの軸心に対して偏心しており且つ該キャリヤピンの軸心に対して偏心している方向が当該単純遊星歯車機構の軸心に対する半径方向に可変とされたクランク部を備え、
前記遊星歯車が、この半径方向に可変とされたクランク部の軸心を回転中心として回転自在に支持されると共に、
前記キャリヤピンの軸心位置が、前記内歯歯車の設計上のピッチ円及び太陽歯車の設計上のピッチ円から等距離にある基準円よりも外側の位置に設定され、
前記クランク部の軸心が、前記基準円上に位置すると想定した場合に該基準円上の前記クランク部の軸心における接線上に、前記キャリヤピンの軸心を設定した
ことを特徴とする単純遊星歯車機構の遊星歯車の支持構造。
【請求項２】
請求項１において、
前記内歯歯車及び前記太陽歯車に加工公差がそれぞれ設定されたときに、前記内歯歯車及び太陽歯車のそれぞれの設計上のピッチ円として、それぞれの加工公差に起因して変化するピッチ円の変化幅の中央に相当する寸法のピッチ円が用いられる
ことを特徴とする単純遊星歯車機構の遊星歯車の支持構造。
【請求項３】
太陽歯車と、キャリヤに支持されたキャリヤピンによって支持され、該太陽歯車と外接する遊星歯車と、該遊星歯車が内接する内歯歯車と、を備えた単純遊星歯車機構の遊星歯車の支持構造において、
前記キャリヤピンが、該キャリヤピンの軸心に対して偏心しており且つ該キャリヤピンの軸心に対して偏心している方向が当該単純遊星歯車機構の軸心に対する半径方向に可変とされたクランク部を備え、
前記遊星歯車が、この半径方向に可変とされたクランク部の軸心を回転中心として回転自在に支持されると共に、
前記キャリヤピンの軸心位置が、前記内歯歯車の設計上のピッチ円及び太陽歯車の設計上のピッチ円から等距離にある基準円よりも外側の位置に設定され、
前記太陽歯車として最も適切な大きさの太陽歯車を選択して組み込む構成とし、
前記内歯歯車及び前記遊星歯車に加工公差をそれぞれ設定し、且つ、
前記内歯歯車及び遊星歯車とも加工公差最大に製造されたときに遊星歯車を内歯歯車側に寄せた状態に相当するクランク部の軸心位置と、前記内歯歯車及び遊星歯車とも加工公差零に製造されたときに遊星歯車を内歯歯車側に寄せた状態に相当するクランク部の軸心位置との中央に相当する寸法を半径とする円を第２基準円としたときに、
前記クランク部の軸心が、該第２基準円上に位置すると想定した場合に該第２基準円上の前記クランク部の軸心における接線上に、前記キャリヤピンの軸心を設定した
ことを特徴とする単純遊星歯車機構の遊星歯車の支持構造。
【請求項４】
太陽歯車と、キャリヤに支持されたキャリヤピンによって支持され、該太陽歯車と外接する遊星歯車と、該遊星歯車が内接する内歯歯車と、を備えた単純遊星歯車機構の遊星歯車の支持構造において、
前記キャリヤピンが、該キャリヤピンの軸心に対して偏心しており且つ該キャリヤピンの軸心に対して偏心している方向が当該単純遊星歯車機構の軸心に対する半径方向に可変とされたクランク部を備え、
前記遊星歯車が、この半径方向に可変とされたクランク部の軸心を回転中心として回転自在に支持されると共に、
前記キャリヤピンの軸心位置が、前記内歯歯車の設計上のピッチ円及び太陽歯車の設計上のピッチ円から等距離にある基準円よりも外側の位置に設定され、
前記太陽歯車として最も適切な大きさの太陽歯車を選択して組み込む構成とし、
前記遊星歯車の製造に当たって、基本バックラッシを所定の加工公差の形で予め与え、且つ、
前記内歯歯車の設計上のピッチ円及び太陽歯車の設計上のピッチ円から等距離にある基準円よりも、該遊星歯車に与えられた基本バックラッシ相当の加工公差分だけ外側に当たる寸法を半径とする円を第３基準円としたときに、
前記クランク部の軸心が該第３基準円上に位置すると想定した場合に該第３基準円上のクランク部の軸心における接線上に、前記キャリヤピンの軸心を設定した
ことを特徴とする単純遊星歯車機構の遊星歯車の支持構造。
【請求項５】
太陽歯車と、キャリヤに支持されたキャリヤピンによって支持され、該太陽歯車と外接する遊星歯車と、該遊星歯車が内接する内歯歯車と、を備えた単純遊星歯車機構の遊星歯車の支持構造において、
前記キャリヤピンが、該キャリヤピンの軸心に対して偏心しており且つ該キャリヤピンの軸心に対して偏心している方向が当該単純遊星歯車機構の軸心に対する半径方向に可変とされたクランク部を備え、
前記遊星歯車が、この半径方向に可変とされたクランク部の軸心を回転中心として回転自在に支持されると共に、
前記キャリヤピンの軸心位置が、前記内歯歯車の設計上のピッチ円及び太陽歯車の設計上のピッチ円から等距離にある基準円よりも外側の位置に設定され、
前記太陽歯車として最も適切な大きさの太陽歯車を選択して組み込む構成とし、
前記内歯歯車及び前記遊星歯車に加工公差をそれぞれ設定すると共に前記遊星歯車の製造に当たって、基本バックラッシを所定の加工公差の形で予め与え、且つ、
前記内歯歯車及び遊星歯車ともそれぞれの加工公差最大に製造されると共に前記遊星歯車に与えられたバックラッシ相当の加工公差が存在した状態に製造されたときに遊星歯車を内歯歯車側に寄せた状態に相当するクランク部の軸心位置と、各加工公差が零でバックラッシ相当の加工公差分だけが存在した状態に製造されたときに遊星歯車を内歯歯車側に寄せた状態に相当するクランク部の軸心位置との中央に相当する寸法を半径とする円を第４基準円としたときに、
前記クランク部の軸心が該第４基準円上に位置すると想定した場合に該第４基準円上の前記クランク部の軸心における接線上に、前記キャリヤピンの軸心を設定した
ことを特徴とする単純遊星歯車機構の遊星歯車の支持構造。
【発明の詳細な説明】
【０００１】
【発明の属する技術分野】
本発明は、単純遊星歯車機構の遊星歯車の支持構造に係る。
【０００２】
【従来の技術】
単純遊星歯車機構は、太陽歯車と、キャリヤに支持されたキャリヤピンによって支持され、該太陽歯車と外接する遊星歯車と、該遊星歯車が内接する内歯歯車とを備える。この単純遊星歯車機構は、コンパクトで比較的大きな減速比が得られること、及び各要素の固定、入力、出力を変更することで減速比（あるいは増速比）を容易に変更できること等から様々な用途に広く利用されている。
【０００３】
又、最近の工場の生産ラインは、多品目を同時に製造するために複雑化しており、従来のように単一の動力でライン全体を動かすのではなく、個々の部分にそれ専用の減速機付モータを配置して多様化に対応すると共により効率の高い生産が行われるように配慮されており、この意味でも、モータに連結する減速機のタイプとして、コンパクト化が可能な単純遊星歯車機構が注目されている。
【０００４】
ところで、ロボットのアームのように、正逆回転が繰り返され、且つ所定の絶対位置に確実に位置決めすることが要求されるような用途においては、各歯車のバックラッシの存在が問題となる。即ち、歯車の噛合には、不可避的にバックラッシが存在するが、このバックラッシが大きすぎると逆転指令が出されて例えば太陽歯車が逆転を開始したとしても、その逆転が出力部材（例えばキャリヤ）の逆転となって直ぐに反映されなかったり、あるいは停止位置が狂ったりするという問題が発生する。そのため、バックラッシの低減はこの種の減速機での大きなバックラッシを低減する最も基本的な方法は、大きさの僅かに異なる複数の歯車を予め用意しておき、組付けの際に、最も隙間なく噛合する歯車を選択するというものであり、現実には多くの分野で実際に行われている。一般的には、遊星歯車はその数が多いため、試行錯誤の対象とするのは適当でないことから、内歯歯車及び太陽歯車が選択の対象とされる。
【０００５】
しかしながら、この方法は、多量の在庫点数を必要とし、又組付けの作業性が極端に低下するため、結果としてコスト高になり易いという問題がある。即ち、単純遊星歯車機構の場合、各歯車（太陽歯車、遊星歯車及び内歯歯車）の大きさのばらつきの他に、キャリヤピンのキャリヤに対する支持位置のばらつきの問題が加わるため、例えば遊星歯車の寸法が小さかった場合に、上記方法によって適切なバックラッシを得るには、太陽歯車として適正寸法より大きなものを組付ける必要がある上に、更に内歯歯車として適正寸法よりも小さいものを選択する必要がある。
【０００６】
更には、特定の位置において各歯車がバックラッシ無く噛合し得たとしても、これを実際に回転させようとしたときに、（バックラッシが小さいが故に）他の位置において歯車同士が干渉して回転抵抗が極端に大きくなったりすることがあり、如何なる回転位置においても常に極小のバックラッシで且つ円滑に回転し得るように組付けるには大変な時間コストを伴なう試行錯誤が要求された。
【０００７】
そこで、このような試行錯誤によってバックラッシを低減するのではなく、構造上の工夫を施すことによってバックラッシをより簡易な方法で低減する技術もいくつか提案されている。
【０００８】
特開昭６３−６２４８号では、遊星歯車を４個備えた単純遊星歯車機構において、互いに向かい合う一対を組にして、一方の組の遊星歯車に係るキャリヤピンの位置を周方向へオフセットして取り付け、いわゆるシザーズ状態にして低バックラッシを実現する方法が提案されている。
【０００９】
特開平０５−２４０３１５号では、同じく遊星歯車を４個備えると共に、互いに向かい合う一対を組にして、一方の組の遊星歯車のキャリヤピンの位置を軸方向にオフセットして取り付けると共に、内歯歯車をこのオフセットされた遊星歯車に合わせて軸方向に２分割し、この内歯歯車の一方を円周方向に捩じってシザーズ状態を形成し、両サイドに配置されたキャリヤの一方から正転出力を、他方から逆転出力を取り出すことにより低バックラッシを実現する方法が提案されている。
【００１０】
特開平０８−６１４３８号においては、単純遊星歯車機構の内歯歯車を弾性体によって形成し、遊星歯車との噛み合いによるバックラッシを「負」とすることによって低バックラッシを実現する構造を提案している。
【００１１】
【発明が解決しようとする課題】
しかしながら、例えば前述の特開昭６３−６２４８号に開示されているような構造でバックラッシを低減する方法は、確かに正転及び逆転の双方においてバックラッシを低減できるものの、遊星歯車を４個備えていながら正転の時も逆転の時も、それぞれ２個ずつしか動力の伝達に寄与させることができず、伝達トルク容量が半減するという問題があった。又、正転のトルク容量と逆転のトルク容量とを同一に維持するには、それぞれに関与する遊星歯車の数を揃える必要があり、現実的には事実上４個に限定されることから、設計の自由度が小さいという問題もあった。
【００１２】
又、これに関連し、周知のように、各歯車の寸法誤差、あるいは組付け位置の誤差を吸収（あるいは許容）するという観点では、いわゆる４点支持よりも３点支持の方が優れるが、この技術にあっては向かい合う一対を組にしてバックラッシの調整を行うという構造上、３点支持に相当する遊星歯車を３個のみ用いた構造を採用することができないという問題もあった。
【００１３】
同様に、特開平０５−２４０３１５号に開示されているような構造で低バックラッシを実現する方法も、動力伝達は４個の遊星歯車のうちの２個でしか行うことができず、従って、伝達トルク容量を高く維持することができず、また３点支持による構造を採用することができないという問題を有していた。
【００１４】
又、特開平０８−６１４３８号に開示されているような構造でバックラッシを低減する方法は、全遊星歯車が正転及び逆転の双方に寄与できるという利点はあるものの、内歯歯車を弾性体で形成する必要があることから、加工性が悪く、又強度的にも十分な強さを維持するのが困難であるという問題があった。又、内歯歯車と各遊星歯車との噛合位置が移動する度に内歯歯車が変形することから、耐久性の面でも不利になり易いという問題もあった。
【００１５】
出願人は、このような従来の問題に鑑み、先に、全ての遊星歯車を正転及び逆転の双方に関与させることができ、簡単な手順で各位置において極小のバックラッシ状態の組付けを実現することを主たる目的とした基本発明を提案した。本発明はその更なる改良に当たるもので、特にキャリヤピンの軸心位置に関して合理的な位置を提供することをその課題としている。
【００１６】
【課題を解決するための手段】
本発明は、太陽歯車と、キャリヤに支持されたキャリヤピンによって支持され、該太陽歯車と外接する遊星歯車と、該遊星歯車が内接する内歯歯車と、を備えた単純遊星歯車機構の遊星歯車の支持構造において、前記キャリヤピンが、該キャリヤピンの軸心に対して偏心しており且つ該キャリヤピンの軸心に対して偏心している方向が当該単純遊星歯車機構の軸心に対する半径方向に可変とされたクランク部を備え、前記遊星歯車が、この半径方向に可変とされたクランク部の軸心を回転中心として回転自在に支持されると共に、前記キャリヤピンの軸心位置が、前記内歯歯車の設計上のピッチ円及び太陽歯車の設計上のピッチ円から等距離にある基準円よりも外側の位置に設定され、前記クランク部の軸心が、前記基準円上に位置すると想定した場合に該基準円上の前記クランク部の軸心における接線上に、前記キャリヤピンの軸心を設定したことにより、上記課題を解決したものである。
【００１７】
前述したように、出願人は先に、本発明の基礎となる基本発明を創案した（未公知）。それは、太陽歯車と、キャリヤに支持されたキャリヤピンによって支持され、該太陽歯車と外接する遊星歯車と、該遊星歯車が内接する内歯歯車と、を備えた単純遊星歯車機構の遊星歯車の支持構造において、前記キャリヤピンが、該キャリヤピンの軸心に対して偏心しており且つ該キャリヤピンの軸心に対して偏心している方向が半径方向に可変とされたクランク部を備え、前記遊星歯車が、この半径方向に可変とされたクランク部の軸心を回転中心として回転自在に支持されたことを特徴とするものである。
【００１８】
この基本発明では、遊星歯車を支持するキャリヤピンは、従来のような単純な円筒形ではなく、該キャリヤピンの軸心に対して偏心しており、且つキャリヤピンに対して偏心している方向が半径方向に可変とされたクランク部を有する。遊星歯車は、このクランク部の軸心を回転中心として回転自在に支持される。
【００１９】
従来は、該バックラッシが基本的に円周方向における歯と歯の間において存在する「遊び」であることから、これを低減するために、噛合する歯同士を相対的に「円周方向」にシフトさせる手法を採用しており、又この発想から抜け出せていなかった。これに対しこの基本発明は、軸心を「半径方向」に可変としているのが大きな特徴である。
【００２０】
この構成により、遊星歯車を実際に回転支持するクランク部の軸心（即ち遊星歯車の実質的な回転中心位置）は、内歯歯車や太陽歯車との関係で最もバランスの取れた位置に調心されることになり、各種製造ばらつきに極めて柔軟に対応することができるようになる。そのため、例えば、太陽歯車のみ大きさを僅かに変えて複数用意しておき、この中から組付け時に適切な大きさの太陽歯車を選択するだけで、遊星歯車のキャリヤピンの位置のズレを含めて各歯車の製造誤差を一度に吸収することも可能となる。
【００２１】
何よりも、全ての遊星歯車を正転方向にも、逆転方向にも動力伝達に寄与させることができ、又、遊星歯車の数を奇数にも偶数にも設定できることから、例えば、後述するように、利点の多い遊星歯車３個を用いた「３点支持構成」とすることもできるようになる。
【００２２】
なお、（本発明を含め）この基本発明は、遊星歯車の支持位置を半径方向に調整する構成であることから、このように例えば本構成によって遊星歯車を内歯歯車側に寄せた場合には、基本的に、太陽歯車側はむしろバックラッシが大きくなる。そのため、太陽歯車側においてその調整を行うのが好ましいことになる。しかしながら、本発明は、必ずしもバックラッシが拡大された側の歯車を「選択・調整」して組み込むことを必須とするものではなく、全歯車について予め定められた設計寸法で製造し、それらをそのまま組み込むような構成においても十分利点が得られる。
【００２３】
即ち、通常遊星歯車の軸心は固定されており、この軸心位置の誤差による影響も考慮する必要があったことから、例えば太陽歯車の設計上の寸法はどうしても小さめに、内歯歯車の設計上の寸法はどうしても大きめに設定せざるを得なかった。しかしながら、この基本発明では、遊星歯車が自動調心機能を有するため、加工公差に対する余裕が生じ、設計上発生すると予想されるバックラッシをより小さめに設定しても加工公差による悪影響が顕在化しにくいという利点が得られる。
【００２４】
又、遊星歯車は内歯歯車及び太陽歯車の双方に対して応力あるいは反力がバランスした位置に位置決めされることになるため、バックラッシを最小にしたような状況であっても、極めて円滑に回転することができるという効果も得られる。
【００２５】
そして本発明も、こうした全歯車をそのまま組み込むタイプのものにも適用できる（特に請求項１〜３）。
【００２６】
ところで、この基本発明では、要は、キャリアピンの軸心に対してクランク部が揺動自在とされ、結果として遊星歯車の軸心が半径方向に可変とされていれば、取り敢えず初期の目的は達成することができた。
【００２７】
しかしながら、実際に本発明が適用された遊星歯車減速機を設計・製造するに当たって、このキャリアピンの軸心位置が適正に設定されていないと、種々の不具合が発生することが新たに確認された。
【００２８】
例えば、後に詳述するように、（本発明を含め）この基本発明では、その構造上各遊星歯車において、キャリヤピンの軸心と遊星歯車の回転中心とがズレていることに起因して遊星歯車を外側に押し出したり、あるいは内側に引き込んだりするモーメント（ラジアル方向の力）が発生することがある。このモーメントは、遊星歯車の円滑な回転を阻害するものであり、またエネルギのロスをもたらすため効率の低下を招き、その分不必要な発熱が発生する原因ともなる。従って、このモーメントの発生は極力抑えられることが望ましいが、このモーメントの大きさは、キャリアピンの軸心がどのような位置に設定されているかということに大きく依存することが確認された。
【００２９】
本発明は、この知見に基づき、前記基本発明を更に改良し、キャリアピンの軸心を最適な位置に設定することを可能とし、これにより、前記基本発明が潜在的に有する不具合の顕在化を最小限に抑えることができるようにしたものである。
【００３０】
【発明の実施の形態】
以下図面に基づいて本発明の実施の形態を詳細に説明する。
【００３１】
既に述べたように、本発明は、出願人が先に創案した基本発明をベースにしたものである。この基本発明は、現時点では未公知の発明であるため、説明の便宜上、先ずこの基本発明の方から説明する。
【００３２】
図１は、当該基本発明が適用された単純遊星歯車減速機の概略縦断面図である。
【００３３】
この単純遊星歯車減速機Ｒ１の単純遊星歯車機構Ｓ１は、太陽歯車１２と、該太陽歯車１２と外接する３個の遊星歯車１４と、該遊星歯車１４が外接する内歯歯車１６と、を備える。
【００３４】
前記太陽歯車１２は、入力軸１８に直接歯切りされている。この入力軸１８は、モータの出力軸（共に図示略）が挿入される凹部１８Ａを有し、ねじ部１８Ｂに螺合する締めボルト（図示略）を介して該出力軸と連結されている。
【００３５】
なお、モータは連結用のボルト穴２０Ａを介して継カバー２０に連結されており、該継カバー２０はボルト２０Ｂを介して減速機Ｒ１のケーシング２２に連結されている。
【００３６】
又、前記遊星歯車１４はキャリヤ２４に支持されたキャリヤピン３０を介して回転自在に支持されている。なお、このキャリヤピン３０周りの構造については後に詳述する。
【００３７】
キャリヤ２４は、ベアリング２６を介してケーシング２２に回転自在に支持されており、厚い円板状の本体プレート２４Ａと、この本体プレート２４Ａに立設され前記３個の遊星歯車１４の間に位置決めされた３本の支柱２４Ｂと、この支柱２４Ｂの端面にボルト２８を介して連結されるカバープレート２４Ｃと、から主に構成される。
【００３８】
このキャリヤ２４の本体プレート２４Ａには、ボルト４０を介して出力軸４２と一体化されたフランジ４２Ａが連結され、該キャリヤ２４の自転が出力軸４２の回転として取り出される。
【００３９】
前記内歯歯車１６は、ケーシング２２と一体的に形成されている。ケーシング２２は取付孔２２Ａを介して図示せぬ外部の固定部材に固定される。
【００４０】
従って、この減速機Ｒ１は、太陽歯車入力、内歯歯車固定、キャリヤ出力の単純遊星歯車機構を備えていることになる。
【００４１】
なお、図の符号５０はシール部材である。
【００４２】
ここで、遊星歯車１４の支持構造について詳細に説明する。
【００４３】
図２〜図４（図４は概念図）を合わせて参照して、遊星歯車１４は、３個備えられ、それぞれキャリヤ２４に支持されたキャリヤピン３０によって支持されている。このキャリヤピン３０は、該キャリヤピン３０の軸心ＣＲｏに対して偏心しており、且つ該キャリヤピン３０に対する偏心方向（偏心角α）が可変とされたクランク部３２を備える。ここで「偏心角α」とは、基準偏心方向Ｋ（キャリアピンの軸心に対してクランク部の軸心が基本的に偏心している方向、即ち偏心の基準となる方向：この例では後述の方法により接線方向Ｔａに取っている）と、キャリヤピン３０の軸心ＣＲｏとクランク部３２の軸心Ｃｏを結んだ直線Ｌとのなす角度を意味している。この基準偏心方向Ｔａを基準にしてクランク部３２がキャリアピン３０の軸心ＣＲｏを中心として偏心角αだけ揺動されることにより、該クランク部３２の軸心Ｃｏが半径方向に可変とされる。
【００４４】
遊星歯車１４は、このクランク部３２の軸心Ｃｏを回転中心として回転自在に支持される。
【００４５】
より具体的に説明すると、キャリヤピン３０の外周にはキャリヤピン３０の軸心ＣＲｏを偏心量ｅだけずらした偏心カム３４が設けられている。この偏心カム３４は、自身の外周に遊星歯車１４を（ベアリング３６を介して）回転自在に支持する。この偏心カム３４はキャリヤピン３０とは回転方向に一体化されている。
【００４６】
又、キャリヤピン３０自体はキャリヤ２４の本体プレート２４Ａに形成された孔２４Ｄ及びカバープレート２４Ｃに形成された孔２４Ｅに回転自在に両持ち支持されている（図１参照）。
【００４７】
この構造は、図４に示されるように、キャリヤピン３０が、該キャリヤピン３０の軸心ＣＲｏに対して偏心量ｅだけ偏心しており、且つキャリヤピン３０に対して偏心している方向（偏心角α）が半径方向に可変とされたクランク部３２を備え、遊星歯車１４が、このクランク部３２の軸心Ｃｏを回転中心として回転自在に支持されていることと概念的に同義である。
【００４８】
なお、このキャリヤピン３０の軸心ＣＲｏの位置のより具体的な設定に関しては後述する。
【００４９】
次に、図５〜図７を用いてこの減速機Ｒ１の作用を説明する。
【００５０】
今、遊星歯車１４の寸法（具体的にはまたぎ歯厚）が適正であったとする。この場合、図５に示されるように、遊星歯車１４のクランク部３２の偏心方向はほぼ基準偏心方向Ｔａ（偏心角α＝０°）に近い偏心角α１で組み付けられる。なお、このとき、それぞれのキャリヤピン３０のクランク部の基準偏心方向Ｔａは、単純遊星歯車機構の軸心Ｒｏと当該キャリヤピン３０の軸心ＣＲｏとを結ぶ直線（キャリヤピン３０の軌道の法線Ｎｏ）に対して円周方向同一の側に揃えるようにする（図５の例ではＡ側に統一）。
【００５１】
この状態で、適正バックラッシを得るには、適正またぎ歯厚の太陽歯車１２を選んで各遊星歯車１４に囲まれた中央部分に組み込めばよい。これにより、即ち適正またぎ歯厚の太陽歯車１２を選択して組み込むだけで、遊星歯車１４の支持位置を含めた（Ｃｏ）三種の歯車（太陽歯車１２、遊星歯車１４、及び内歯歯車１６）の適正な組合せバランスの調整作業が完了し、バックラッシの小さい減速機Ｒ１を得ることができる。
【００５２】
なお、ここで、それぞれのキャリヤピン３０のクランク部３２の基準偏心方向Ｔａを同一の方向（図示の例では全てＡ側の方向）に揃えるようにしたのは、各遊星歯車１４において発生する半径方向のモーメントの方向（外周側へ向けた押出し方向あるいは内周側へ向けた引込み方向）を揃えることができ、その結果、全周における各モーメントを互いに相殺し易くするためである。
【００５３】
一方、例えば遊星歯車１４（Ｓ）の寸法（またぎ歯厚）が適正値よりも小さかった場合は、図６に示されるように、キャリヤピン３０のクランク部３２の偏心角αは、正の値α2となる。即ち、クランク部３２の軸心Ｃｏは基準偏心方向Ｔａ（偏心角α＝０°）に対して半径方向大側にシフトされる。なお、このときも、それぞれのキャリヤピン３０のクランク部３２の偏心方向は、全体で互いに相殺させるためにそれぞれ同一の方向（図６の例では全てＡ側の方向）に揃えるようにする。
【００５４】
この状態で、適正バックラッシを得るには、適正またぎ歯厚よりも大きな太陽歯車１２（Ｇ）を選んで各遊星歯車１４（Ｓ）の中央部分に組み込めばよい。これにより、即ち適正またぎ歯厚よりも大きな太陽歯車１２（Ｇ）を選択して組み込むだけで、遊星歯車１４（Ｓ）の支持位置（Ｃｏ）を含めた三種の歯車の適正な組合せバランスの調整作業は完了し、バックラッシの小さい減速機Ｒ１を得ることができる。
【００５５】
なお、内歯歯車１６の寸法（オーバピン寸法）が適正値よりも大きかった場合も全く同様に考えることができ、適正またぎ歯厚よりも大きな太陽歯車１２（Ｇ）を選択して組み込むだけで、遊星歯車１４の支持位置を含めた三種の歯車の適正な組合せバランスの調整作業が完了し、バックラッシの小さい減速機Ｒ１を得ることができる。
【００５６】
更に、例えば内歯歯車１６（Ｓ）の寸法が適正値よりも小さかった場合は、図７に示されるように、キャリヤピン３０のクランク部３２の偏心角αは、負の値α3となる。即ち遊星歯車１４は基準偏心方向Ｔａに対して半径方向小側にシフトした位置で組み付けられる。なお、このときも、それぞれのキャリヤピン３０のクランク部３２の基準偏心方向Ｔａは、それぞれ同一の方向（図７の例では全てＡ側の方向）に揃えるようにする。この状態で、適正バックラッシを得るには、適正またぎ歯厚よりも小さな太陽歯車１２（Ｓ）を選んで各遊星歯車１４の中央部分に組み込めばよい。これにより、即ち適正またぎ歯厚よりも小さな太陽歯車１２（Ｓ）を選択して組み込むだけで、遊星歯車１４の支持位置（Ｃｏ）を含めた三種の歯車の適正な組合せバランスの調整作業が完了し、バックラッシの小さい減速機Ｒ１を得ることができる。
【００５７】
又、この状況は、遊星歯車１４の寸法が適正値よりも大きかった場合と同様であり、従って適正またぎ歯厚よりも小さな太陽歯車１２（Ｓ）を選択して組み込むだけで、バックラッシの小さい減速機Ｒ１を得ることができる。
【００５８】
このように、内歯歯車１６、あるいは遊星歯車１４のいずれが大きくても、又小さくても、最後に組付ける太陽歯車１２の調整のみで適正バックラッシの減速機Ｒ１を得ることができる。
【００５９】
なお、遊星歯車１４は一般的には同時に加工されるため、各遊星歯車１４間において寸法のばらつきが生じる可能性は小さいが、もし３個の遊星歯車１４間において寸法にばらつきがあった場合には、最も大きな寸法の遊星歯車を基準にバックラッシが最適化される。この場合、この最も大きな寸法の遊星歯車１４によって逆転開始直後においても動力伝達が行われ、又、これより小さな寸法の遊星歯車は、逆転の開始直後には（バックラッシが存在しているため）動力伝達に寄与できないが、逆転が開始されるとその回転によってクランク部の偏心方向が自動的に調整され、バックラッシが詰められるため、それ以降は（全遊星歯車均等ではないが）動力伝達に寄与する。この点が従来のシザーズ型のバックラッシ低減機構と最も異なる本実施形態の大きな利点である。
【００６０】
なお、この例では、太陽歯車１２は、入力軸１８に直接歯切りされており、該太陽歯車１２の軸心Ｓo（＝Ｒo）が固定状態に維持されていたが、この太陽歯車１２をフロート状態で、即ち、例えばスプライン結合や、後述する実施形態のように、その軸心Ｓoが減速機Ｒ１の軸心Ｒoに対して変化できるようにした状態で組み込むようにすると、３個の遊星歯車１４間でその大きさに製造ばらつきがあっても、３個全てについて適正バックラッシとなる減速機Ｒ１を製造することができ、理論上常に全遊星歯車均等で動力伝達に寄与させることができる。
【００６１】
即ち、この例では、遊星歯車１４の個数を３個に設定してある。そのため、最後に組み込まれる太陽歯車１２は、いわば３個の遊星歯車１４によって「３方向から３点支持」されることによってその軸心Ｓｏが調整されることになる。そのため、たとえ各遊星歯車１４の寸法にばらつきがあっても、太陽歯車１２の軸心Ｓｏがそれに追随して変化することで、個々の遊星歯車１４それぞれにおいて上記バランス調整が行われるようになる。従って、内歯歯車１６、あるいは遊星歯車１４のいずれが大きくても、又は小さくても、又、たとえ個々の遊星歯車１４間において寸法のばらつきがあったとしても、最後に組付ける太陽歯車１２の軸心Ｓｏが自動的に修正され、全遊星歯車１４の噛合部分においてバックラッシが適正に調整された減速機Ｒ１を得ることができる。
【００６２】
なお、これまでの説明してきた例では、クランク部の自動調心機能を利用して、組付けの最後に適正な大きさの太陽歯車を選択することにより、バックラッシを低減させるようにしていたが、（本発明を含む）この基本発明は、必ずしも太陽歯車の「選択」を必須とするものではなく、予め定められた寸法の太陽歯車をそのまま組み込むような構成としてもよい。
【００６３】
この場合でも、従来は遊星歯車の軸心が固定されていたため、例えば太陽歯車の設計上の寸法はどうしても小さめに設定せざるを得なかったが、本発明では、遊星歯車が自動調心機能を有するため、多少大きめに設定してもこれを吸収し易いという利点が得られる。
【００６４】
又、各部品の製造誤差あるいは組付け誤差があったとしても、遊星歯車をより円滑に回転させることができる。
【００６５】
なお、太陽歯車を組み込む際に、（選択せずに）設計に従って製造された太陽歯車をそのまま組み込んだ場合の減速機全体のバックラッシは、各遊星歯車の中で最も小さいバックラッシとなっている部分でのそれに一致するようになる。
【００６６】
次に、キャリアピン３０の軸心ＣＲｏの位置の設定に関して詳細に説明する。
【００６７】
これまでの説明からも明らかように、（本発明を含めて）先に創案された基本発明では、その構造上各遊星歯車において、キャリアピン３０の軸心ＣＲｏと遊星歯車１４の回転中心Ｃｏとがずれていることに起因して遊星歯車１４を外側に押し出したり、あるいは内側に引込んだりするモーメント（ラジアル方向の力）が発生することがある。
【００６８】
このモーメントの発生態様は、キャリアピン３０の軸心ＣＲｏがどのような位置に設定されているかによって大きく変化する。
【００６９】
キャリアピン３０の軸心ＣＲｏに関して、最も基本的な発想があるとすれば、その１つは、図８に示されるように、「キャリアピン３０の軸心ＣＲｏを、設計上の（想定される）遊星歯車１４の軸心Ｃｏを通る円（基準円）Ｒｂ上に置く（減速機の軸心Ｒｏから等しい距離に両軸心Ｃｏ、ＣＲｏを置く）」ということであると考えられる。
【００７０】
この考え方は、換言すると、「基準偏心方向Ｋをクランク部３２の中央（キャリアピン３０の軸心ＣＲｏとクランク部の軸心Ｃｏとの中点３２ｃｏ）を通る円Ｒｂｃの接線方向Ｔａｃに一致させる。」というものであり、ある意味で自然な発想である。
【００７１】
しかしながら、図８から明らかなように、このように基準円Ｒｂ上にキャリアピン３０の軸心ＣＲｏを設定した場合には、図８の（ｂ）に示されるように、遊星歯車１４がほぼ加工公差の中央に相当する値に製造されたときであっても、モーメントＦｒが発生している。又、同図（ａ）に示されるように、この中央値よりも遊星歯車１４が小さめに製造され、その結果遊星歯車１４の軸心Ｃｏがより半径方向外側にシフトされた際には極めて大きなモーメントＦｒが発生している。この状態は、遊星歯車１４がたとえ加工公差の範囲内に製造されたとしても、大半の組込み状態において半径方向外側へ向けたモーメントが発生し、しかもその絶対値がかなり大きいことを意味している。
【００７２】
このことは、キャリアピン３０の軸心ＣＲｏの位置を本来の遊星歯車１４の軸心Ｃｏの位置と同一の円（基準円）Ｒｂ上に置くのは必ずしも好ましい態様とは言えないことを意味している。
【００７３】
これに対し、図９ではキャリアピン３０の軸心ＣＲｏの位置を基準円Ｒｂの外側、より具体的には設計上の（加工公差の中央値に相当する）クランク部３２の軸心Ｃｏが基準円Ｒｂ上に位置すると想定した場合に、この基準円Ｒｂ上の軸心Ｃｏにおける接線Ｔａ１上に設定したものである。図から明らかなように、この場合、遊星歯車１４が首尾良く加工公差の中央値に相当する大きさに製造された場合には、クランク部３２の基準偏心方向Ｋが接線方向Ｔａに一致することになるため、半径方向のモーメントは全く発生しない。又、遊星歯車１４が加工公差の中央値から離れた大きさで製造された場合であっても、クランク部３２は基準偏心方向Ｋ（＝Ｔａ）を境にして半径方向に対称的に移動できるため、どちらの方向に偏った場合でも発生するモーメントを最小に抑えることができる。
【００７４】
故に、この図９の設定態様が本発明の基本的な形ということになる。この設定態様は、特に太陽歯車を設計した寸法で製造し、（選択することなく）そのまま組み込むようなタイプの減速機に本発明を適用した場合に有効である。
【００７５】
この基準円Ｒｂは、具体的には、内歯歯車１６の設計上のピッチ円及び太陽歯車１２の設計上のピッチ円から等距離にある円の円周ということになる。
【００７６】
なお、前記内歯歯車１６及び前記太陽歯車１２に加工公差δＷｉ、δＷｓがそれぞれ設定されているときは、前記内歯歯車１６及び太陽歯車１２のそれぞれの設計上のピッチ円として、それぞれの加工公差δＷｉ、δＷｓに起因して変化するピッチ円の変化幅の中央に相当する寸法のピッチ円が用いられる（後述の具体例参照）。これにより各歯車の加工公差の違いをも吸収することができる。
【００７７】
ところで、既に述べているように、本発明では、クランク部３２の軸心Ｃｏの位置を半径方向に移動させることができるため、この機能を使って遊星歯車１４を最大限内歯歯車１６側に寄せ、中央部に大きなスペースを確保した上で、この大きなスペースにちょうど収容される太陽歯車１２を選択的に組み込む。ところが、このような製造を行う場合、キャリアピン３０の軸心ＣＲｏを図９に示されるような基本位置、即ち基準円Ｒｂの外側で、且つ該基準円上の軸心Ｃｏにおける接線Ｔａ１上に設定すると、実際上は恰も図８で示されたような態様と同様な結果となってしまう場合があることが新たに確認された。
【００７８】
そこで、この不具合を解消するべく、太陽歯車選択型の減速機に本発明を合理的に適用できるようにしたのが以下に説明する設定例である。
【００７９】
この設定例では、各歯車個々の加工誤差を考慮すると共に、遊星歯車に対して設計上の基本バックラッシを加工公差の形で予め付加するようにしている。
【００８０】
［本設定の前提］
１）内歯歯車１６の歯数をＺｉとし、その加工公差をδＷｉとする。又、遊星歯車１４の歯数をＺｐとし、その加工公差をδＷｐとする。一方、太陽歯車１２の歯数はＺｓとするが、この太陽歯車１２については、遊星歯車１４の組付け後に適正な大きさのものを組み込む手法を採用するため、加工公差なる概念は存在しない。各歯車の圧力角はＡｎ°とし、モジュールをｍとする。
【００８１】
２）歯車の噛合面圧（歯面圧）のＳ％を半径方向に発生するモーメントとして分配することとする。このＳ％という値は、５％前後（２〜１０％程度）が適当であるが、これから設計しようとする減速機の仕様に応じて適宜に増減される。この分配比率を大きくするということは、クランク部３２（遊星歯車１４）の軸心Ｃｏの半径方向の移動量をそれだけ大きく確保できることを意味するが、モーメントの発生比率が高まる分、効率や回転の安定性（特に高速回転時の安定性）は低下する傾向となる。
【００８２】
３）遊星歯車の製造に当たって、設計上の基本バックラッシを加工公差δＢｐの形で固定値として与える。この基本バックラッシ（加工公差）δＢｐの設定は、主にキャリアピン３０の軸心ＣＲｏ自体の製造誤差の吸収を目的としたもので、各歯車の加工公差δＷｉ、δＷｐが最大側に振れ、その上キャリアピン３０の軸心ＣＲｏ位置に誤差（ぶれ）が生じたとしても、これを吸収し得るように予め設計上のバックラッシを加工公差δＢｐの形で初めから与えておこうとするものである。軸心ＣＲｏのぶれは、様々な要素が絡んで発生するため、歯車自体の加工公差のように範囲を予め特定できないが、この基本バックラッシの付与で軸心ＣＲｏの位置がたとえ何れの方向にぶれたとしても吸収が可能になる。
【００８３】
又、加工公差の形で与えられるため、歯車自体の加工公差との融合演算が簡素化される。但し、本来の加工公差とは意味合いが異なり、零〜δＢｐというような範囲を持つ概念ではなく、δＢｐという固定的な値として参照される。
【００８４】
［歯面圧のＳ％に対応する偏心角αを求める］
まず、歯面圧１００％と（１００−Ｓ）％に相当する接線力（接線方向の力）Ｔｆ（１００）とＴｆ（１００−Ｓ）の差δＴｆを求める。
【００８５】
図１０に示されるように、圧力角がＡｎ°の場合、接線力ＴｆにｔａｎＡｎ°を掛けたものが発生モーメントＦｒに等しくなる。
【００８６】
一方、接線力Ｔｆは歯面圧の２乗に比例することが知られている。従って、図１１に示されるように、各歯面圧に相当する接線力Ｔｆ（１００）、Ｔｆ（１００−Ｓ）を考えると、歯面圧１００％時の接線力Ｔｆ（１００）と面圧（１００−Ｓ）％時の接線力Ｔｆ（１００−Ｓ）は、それぞれ（１）式、（２）式のようになり、その差がΔＴｆとして求められる。
【００８７】
0003934344.tif 000002
【００８８】
一方、接線力Ｔｆ（１００）とＴｆ（１００−Ｓ）との差ΔＴｆによる発生モーメントＦｒは、（４）式のようになる。
【００８９】
Ｆｒ＝（１−Ｓｓ）・ｔａｎＡｎ°  ・・・（４）
【００９０】
従って、発生モーメントＦｒに釣り合う分力に相当する最大偏心角αmax は、（５）式のように書くことができる。
【００９１】
αmax ＝ｓｉｎ-1｛Ｆｒ／（２・Ｓｓ）｝      ・・・（５）
【００９２】
［バックラッシと遊星歯車の移動量］
１）図１３に内歯歯車と遊星歯車の噛合状態における基本バックラッシδＢｐと各加工公差δＷｉ、δＷｐとの関係を示す。又、この関係を概念的に抽出して図示したものを図１３に示す。
【００９３】
図１２において、（ａ）は内歯歯車１６の理論歯形、即ち加工公差零の状態で製造されたときの歯形、（ｂ）は内歯歯車１６の加工公差が最大（δＷｉ）の状態で製造されたときの歯形、（ｃ）は遊星歯車の理論歯形（加工公差零）、（ｄ）は基本バックラッシが加工公差δＢｐの形で（固定的に）与えられ、且つ遊星歯車１４自体の加工公差が零の状態で製造されたときの歯形、（ｅ）は同じく遊星歯車１４自体の加工公差が最大（δＷｐ）の状態で製造されたときの歯形をそれぞれ示している。
【００９４】
これらの図から明らかなように、法線方向の合計バックラッシＮＢＬ（μｍ）は、最小の場合でδＢｐであり、最大のときにはδＢｐ＋（δＷｉ＋δＷｐ）となることが分かる。即ち、法線方向の合計バックラッシＮＢＬは（軸心ＣＲｏのぶれを無視するならば）歯車自体にどのように加工公差があったとしても、この範囲内に収まる。なお、軸心ＣＲｏのぶれは、特定できないが、前述したように基本バックラッシδＢｐの存在により吸収される。
【００９５】
従って、クランク部３２（遊星歯車１４）の軸心Ｃｏの半径方向の動きＣ（ｍｍ）は、（６）式のようになり、該（６）式に前述の合計バックラッシＮＢＬmin ＝δＢｐ、ＮＢＬmax ＝δＢｐ＋（Ｗｉ＋Ｗｐ）を代入すると、半径方向の動きに関する最小Ｃmin と最大Ｃmax が（７）、（８）式のように求められる。
【００９６】
0003934344.tif 000003
【００９７】
なお、一般に、加工公差δＷｉ、δＷｐは、当該歯車１６、１４の歯数Ｚｉ、Ｚｐとモジュールｍとをパラメータとして規定される歯車公差単位ｗを基準とし、その何倍とするかという観点で歯車ごとに設定される。
【００９８】
具体的には、δＷｉ、δＷｐ、δＢｐとも、例えば５ｗ（歯車公差単位ｗの５倍）程度に設定すると良い。
【００９９】
［キャリアピン３０の軸心ＣＲｏの設定］
キャリアピン３０の軸心ＣＲｏは、以上のようにして製造された減速機において遊星歯車１４を半径方向内歯歯車１６側に最大限移動させた時に、各加工公差δＷｉ、δＷｐ、δＢｐに起因してクランク部３２（遊星歯車１４）の軸心Ｃｏが半径方向に移動する可能性のある移動幅Ｒｔ（＝Ｃmax −Ｃmin ）の中心位置（加工公差の中央）Ｃｃを含む円（第４基準円）Ｒｂ４における接線Ｔａ４上に設定される。
【０１００】
図１４から明らかなように、この第４基準円Ｒｂ４は基本バックラッシ分を含む加工公差が全て零に相当するベース円Ｒｂ０に対してｄ＝（Ｃmax ＋Ｃmin ）／２の分だけ外側に位置し、この第４基準円Ｒｂ４上にクランク部３２（遊星歯車１４）の軸心Ｃｏが位置すると想定したときに、該第４基準円Ｒｂ上の前記クランク部３２の軸心Ｃｏにおける接線Ｔａ４上に、前記キャリヤピン３０の軸心ＣＲｏが設定されていると言えるものである。なお、クランク部３２の軸心Ｃｏの片側の半径方向移動幅ＲｅはＲｔ／２＝（Ｃmax −Ｃmin ）／２となる。
【０１０１】
［クランク部３２の偏心量ｅ］
最大偏心角αmax と片側の半径方向移動幅Ｒｅより、クランク部３２の偏心量ｅはＲｅ／ｓｉｎαmax°に設定すべきことになる。又、キャリヤピン３０の減速機Ｒ１の軸心Ｒｏからの等配半径Ｒｃは√｛（Ｒｂ０＋ｄ）2＋ｅ2｝となる。
【０１０２】
このように設定・製造された減速機Ｒ１は、加工公差の中央値に製造できたときには半径方向のモーメントは全く発生せず、加工公差が零又は最大の状態で製造されたときであっても、半径方向のモーメントは、歯面圧のＳ％以下に抑えられる。
【０１０３】
なお、この実施形態では、各歯車の加工公差δＷｉ、δＷｐと、基本バックラッシ相当の加工公差δＢｐの全てを同時に考慮していたが、全く同様な方法でいずれか一方のみを考慮するだけとすることもできる。
【０１０４】
各歯車の加工公差δＷｉ、δＷｐのみを考慮する場合は、上記説明において各加工公差δＷｉ、δＷｐのみを設定し、基本バックラッシ相当の加工公差δＢｐの方を零として考えればよい。加工公差δＷｉ、δＷｐを若干大きめに設定することにより、結果としてキャリヤピン３０の軸心ＣＲｏのぶれも吸収できる。
【０１０５】
歯車自体の加工公差のみを考慮した場合には、結局、内歯歯車及び遊星歯車とも加工公差最大に製造されたときに遊星歯車を内歯歯車側に寄せた状態に相当するクランク部の軸心の位置と、内歯歯車及び遊星歯車とも加工公差零に製造されたときに遊星歯車を内歯歯車側に寄せた状態に相当するクランク部の軸心位置との中央に相当する寸法を半径とする円を第２基準円としたときに、前記クランク部の軸心が、該第２基準円上に位置すると想定した場合に該第２基準円上の前記クランク部の軸心における接線上に、前記キャリヤピンの軸心を設定するということになる。
【０１０６】
一方、基本バックラッシの方のみを考慮する場合には、当該基本バックラッシ相当の加工公差δＢｐを固定値として若干大きめに与え、各歯車の加工公差についてはこれを無視すればよい。
【０１０７】
遊星歯車に対する基準バックラッシのみを考慮した場合には、結局、内歯歯車の設計上のピッチ円及び太陽歯車の設計上のピッチ円から等距離にある基準円よりも、該遊星歯車に与えられた基本バックラッシ相当の加工公差分だけ外側に当たる寸法を半径とする円を第３基準円としたときに、前記クランク部の軸心が該第３基準円上に位置すると想定した場合に該第３基準円上のクランク部の軸心における接線上に、前記キャリヤピンの軸心を設定するということになる。
【０１０８】
この場合、クランク部３２の軸心Ｃｏの動く範囲の特定は困難になるが、各部品が予定された大きさに製造された場合には、半径方向のモーメントは発生せず、実用上は特に問題とならない場合が多いと考えられる。
【０１０９】
【発明の効果】
本発明によれば、遊星歯車（遊星ローラ）に自動調心機能を持たせることができるため、各種寸法誤差や組付け誤差の如何に拘らず、運転時の円滑性をそれだけ向上させることができる。又、この自動調心機能を利用して適正な大きさの太陽歯車（太陽ローラ）を選択的に組み込むという簡単な方法で、バックラッシが小さく、且つ半径方向に発生するモーメントを極力抑制した減速機を得ることができるようになる。
【図面の簡単な説明】
【図１】本発明に係る内接噛合遊星歯車機構が適用された減速機の縦断面図
【図２】上記減速機におけるキャリヤピンの構造を示す正面図及び側面図
【図３】上記キャリヤピンの斜視図
【図４】上記キャリヤピンの構造を概念的に示した斜視図
【図５】上記内接噛合遊星歯車機構において適正な大きさの内歯歯車に対して適正な大きさの遊星歯車が組み込まれた時のキャリヤピンのクランク部の状態を示す線図
【図６】上記内接噛合遊星歯車機構において適正な大きさの内歯歯車に対して適正値より小さな遊星歯車が組み込まれた時のキャリヤピンのクランク部の状態を示す線図
【図７】上記内接噛合遊星歯車機構において適正値より小さな内歯歯車に対して適正な大きさの遊星歯車が組み込まれた時のキャリヤピンのクランク部の状態を示す線図
【図８】本発明創案の過程で考えられた（不具合を内在する）キャリアピンの軸心の設定態様を示す線図
【図９】本発明にかかるキャリアピンの軸心の基本的な設定態様を示す線図
【図１０】内歯歯車と遊星歯車の噛合状態を模式的に示す部分拡大図
【図１１】接線力の分配を説明するために太陽歯車、遊星歯車、及び内歯歯車を模式的に示した線図
【図１２】ラックによって歯車の歯形が形成される際の、加工公差及びバックラッシの関係を説明した軸断面図
【図１３】歯面における接線方向、法線方向、及びラジアル方向を説明するための模式図
【図１４】キャリヤピンの軸心とクランク部（遊星歯車）の軸心との関係を示した線図
【符号の説明】
Ｒ１…減速機
Ｓ１…単純遊星歯車機構
１２…太陽歯車
１４…遊星歯車
１６…内歯歯車
１８…入力軸
２０…継カバー
２２…ケーシング
２４…キャリヤ
３０…キャリヤピン
３２…クランク部
３４…偏心カム
Ｒｏ…減速機（単純遊星歯車機構）の軸心
ＣＲｏ…キャリヤピンの軸心
Ｃo…クランク部（遊星歯車）の軸心
Ｓｏ…太陽ローラの軸心
Ｋ（Ｔａ）…基準偏心方向
ｅ…偏心量
α…偏心角
δＷｓ…太陽歯車の加工公差
δＷｐ…遊星歯車の加工公差
δＷｓ…内歯歯車の加工公差
δＢｐ…基本バックラッシ（相当の加工公差）
【図１】
0003934344.tif 000004
【図２】
0003934344.tif 000005
【図３】
0003934344.tif 000006
【図４】
0003934344.tif 000007
【図５】
0003934344.tif 000008
【図６】
0003934344.tif 000009
【図７】
0003934344.tif 000010
【図８】
0003934344.tif 000011
【図９】
0003934344.tif 000012
【図１０】
0003934344.tif 000013
【図１１】
0003934344.tif 000014
【図１２】
0003934344.tif 000015
【図１３】
0003934344.tif 000016
【図１４】
0003934344.tif 000017